(57)【特許請求の範囲】
【請求項１】
床版の側縁部に、該床版上の舗装面より高くなる位置まで該床版と一体的に立ち上げ脚部を設け、該立ち上げ脚部の天端面には、その中央部に高さ方向に凸部面を形成した接合部を設け、該天端面上に連結材を介してプレキャストコンクリート製壁高欄を載置した設置構造において、下端が露出するように該プレキャストコンクリート製壁高欄内に埋設した埋め込みインサートに、該床版の下部から該凸部面を通過するアンカーボルトを挿入し、該床版、該立ち上げ脚部及び該プレキャストコンクリート製壁高欄とを該凸部面を通過するアンカーボルトにより該アンカーボルトの上側一方端部を該プレキャストコンクリート製壁高欄内で取着したことを特徴とするプレキャストコンクリート製壁高欄の設置構造。
【請求項２】
アンカーボルトをＡｌ−Ｍｇ溶射高力ボルトとしたことを特徴とする請求項１記載のプレキャストコンクリート製壁高欄の設置構造。
【請求項３】
床版の側縁部に、該床版上の舗装面より高くなる位置まで該床版と一体的に立ち上げ脚部を設け、該立ち上げ脚部の天端面には、その中央部の凸部面に、下面に設けた凹部面が嵌着固定されるように連結材を介してプレキャストコンクリート製壁高欄を載置し、下端が露出するように該プレキャストコンクリート製壁高欄内に埋設した埋め込みインサートに、該床版の下部から該凸部面を通過するアンカーボルトを挿入し、該床版と該プレキャストコンクリート製壁高欄とを固定したことを特徴とするプレキャストコンクリート製壁高欄の設置方法。
【請求項４】
アンカーボルトをＡｌ−Ｍｇ溶射高力ボルトとしたことを特徴とする請求項３記載のプレキャストコンクリート製壁高欄の設置方法。
【発明の詳細な説明】
【技術分野】
【０００１】
本発明は、道路等のコンクリート床版等の側縁部に沿って設けられるプレキャストコンクリート製壁高欄の設置構造及び設置方法に関する。
【背景技術】
【０００２】
道路橋、高架道路、高架軌道等の側縁部に沿ってコンクリート製の強度の有る壁高欄が設けられ、走行車線や路線から外れた車両が外側へ逸脱するのを防止したり、衝突の衝撃を緩和する等、安全性や耐衝撃性の向上を図っている。
【０００３】
上記コンクリート製壁高欄は高架等の高い位置に設置されることが多く、それらが老朽化した場合の補修や取り替えの作業は、足場の設置や養生等に多くの手間や時間を必要とし、また、高い位置での作業や交通規制等を行いながらの作業が必要となる等の危険を伴なうものであった。そこで、一旦施工設置したコンクリート製壁高欄が長期的に使用することができる耐久性が求められている。
【０００４】
上記老朽化の大きな要因の一つとして、床版等の水平部材とそれより立ち上がる壁高欄との接合部、又は、床版の側縁部から立ち上げた小壁とその上方に設置される壁高欄との接合部、壁高欄と床版等を連結固定するために設けた切欠部等の接合部や切欠部等から水が浸入し、それを原因として連結手段として使用されるアンカーボルト等の連結金具やコンクリートの補強手段のための鉄筋等を腐食させ、耐久性を欠如させているものであった。
【０００５】
特許文献１に示すように、予め工場等において製造したプレキャストコンクリート製壁高欄Ａをコンクリート床版Ｂの側縁部に設置している技術があるが、該壁高欄Ａは、コンクリート床版ＢとアンカーボルトＣや無収縮性のモルタルＤ等の連結手段により取り付けられている。
【０００６】
該壁高欄Ａを該コンクリート床版Ｂに取り付けるため、該壁高欄ＡにアンカーボルトＣを定着する空間となる凹部状の切り欠き部Ｅを予め形成しておき、該コンクリート床版Ｂと該壁高欄Ａとを連結したアンカーボルトＣの端部を該切り欠き部Ｅにおいて定着し、該コンクリート床版Ｂの側縁部に沿って該壁高欄Ａを連続設置している。
【０００７】
また、特許文献２に示すように、壁高欄となるブロックＦの内部及び床版Ｇの側縁部に各々上下方向に貫通するＰＣ鋼棒貫通用のシースＨを設け、該シースＨにＰＣ鋼棒Ｊを挿通し、該ＰＣ鋼棒ＪをブロックＦの上端部から床版Ｇの底面側に貫通させ、その上下端部においてアンカープレートＫ及びナットＬにより定着することで壁高欄となるブロックＦを設置している技術がある。
【０００８】
上記特許文献１の壁高欄Ａの取付け構造にあっては、該壁高欄Ａとコンクリート床版Ｂとの接合手段となる接合部及び該壁高欄に設けたアンカーボルト定着のための切り欠き部Ｅから水が浸入し、アンカーボルトや鉄筋等を腐食劣化させる大きな要因となっていた。
【０００９】
また、上記特許文献２の壁高欄となるブロックＦと床版Ｇの連結方法にあっては、ブロックＦと床版Ｇとの連結部Ｍが床版Ｇにおける舗装下面と同じレベルとなっており、該連結部Ｍには舗装側からの水が浸入してくることになる。また、ＰＣ鋼棒貫通用のシースＨの上部に形成したＰＣ鋼棒ＪのアンカープレートＫ及びナットＬを定着するための切り欠き部となる角穴Ｐにも水が浸入することになる。この浸入水は、ＰＣ鋼棒Ｊ、ブロックＦや床版Ｇに使用された鉄筋等を腐食劣化させる大きな要因となっていた。
【先行技術文献】
【特許文献】
【００１０】
【特許文献１】特開２０１５−７１９０７号公報
【特許文献２】特開平７−１０２５２８号公報
【発明の概要】
【発明が解決しようとする課題】
【００１１】
本発明は、上記欠点を解決したもので、切り欠き部や接合部からの雨水、雪融け水、清掃水等の水が本体内に浸入することを防止し、また、海岸近くに設けた壁高欄における塩害被害の要因となるアンカーボルトや鉄筋等が露出することを未然に防止することによりプレキャストコンクリート製壁高欄の耐久性を向上させるものである。
【課題を解決するための手段】
【００１２】
本発明は、床版の側縁部に、該床版上の舗装面より高くなる位置まで該床版と一体的に立ち上げ脚部を設け、該立ち上げ脚部の天端面には、その中央部に高さ方向に凸部面を形成した接合部を設け、該天端面上に連結材を介してプレキャストコンクリート製壁高欄を載置した設置構造において、該床版、該立ち上げ脚部及び該プレキャストコンクリート製壁高欄とを該凸部面を通過するアンカーボルトにより該アンカーボルトの上側一方端部を該プレキャストコンクリート製壁高欄内で取着したプレキャストコンクリート製壁高欄の設置構造を特徴とする。
【００１３】
また、上記アンカーボルトをＡｌ−Ｍｇ溶射高力ボルトとしたプレキャストコンクリート製壁高欄の設置構造を特徴とする。
【００１４】
更に、床版の側縁部に、該床版上の舗装面より高くなる位置まで該床版と一体的に立ち上げ脚部を設け、該立ち上げ脚部の天端面には、その中央部の凸部面に、下面に設けた凹部面が嵌着固定されるように連結材を介してプレキャストコンクリート製壁高欄を載置し、下端が露出するように該プレキャストコンクリート製壁高欄内に埋設した埋め込みインサートに、該床版の下部から該凸部面を通過するアンカーボルトを挿入し、該床版と該プレキャストコンクリート製壁高欄とを固定してなるプレキャストコンクリート製壁高欄の設置方法を特徴とする。
【００１５】
また、上記アンカーボルトをＡｌ−Ｍｇ溶射高力ボルトとしたプレキャストコンクリート製壁高欄の設置方法を特徴とする。
【発明の効果】
【００１６】
本発明のプレキャストコンクリート製壁高欄の設置構造及び設置方法は、舗装面から跳ね上がる水、又は、壁面に打ち付けられたり壁面を伝わって流れ落ちる水等が、床版とプレキャストコンクリート製壁高欄との接合部となる凸部面の突起位置を越えて浸入することがないので、該凸部面を通過する連結手段となるアンカーボルトに水が触れることがなくなり、また、当該位置より本体内の鉄筋に水が接触することがなく、それらを水によって腐食することから防止することが可能となった。
【００１７】
また、該アンカーボルトにＡｌ−Ｍｇ溶射高力ボルトを採用することにより強度と耐久性が得られ、且つ、異種金属からの接触腐食を防止することが可能となり、プレキャストコンクリート製壁高欄の補修を長期間にわたって施す必要がない状態で所定の強度を維持することが可能となった。
【図面の簡単な説明】
【００１８】
【図１】（ａ）本発明のプレキャストコンクリート製壁高欄の平面図、（ｂ）同正面断面図。
【図２】（ａ）図１（ｂ）のＡ−Ａ線断面図、（ｂ）同図１（ｂ）のＢ−Ｂ線断面図。
【図３】Ａｌ−Ｍｇ溶射ボルトの性能表。
【図４】本発明のプレキャストコンクリート製壁高欄の連結部における水の浸入経路を示す断面図。
【図５】プレキャストコンクリート製壁高欄の従来例の断面図。
【図６】コンクリート製壁高欄の他の従来例の断面図。
【発明を実施するための形態】
【００１９】
以下、本発明の実施の形態を図面に基づいて説明する。
【実施例１】
【００２０】
図１（ａ）は、本発明のプレキャストコンクリート製壁高欄の設置構造の平面図、（ｂ）は長手方向の中央断面図を示している。また、図２（ａ）、（ｂ）は、図１（ｂ）におけるＡ−Ａ断面図及びＢ−Ｂ断面図を示している。
【００２１】
プレキャストコンクリート製壁高欄１は、床版２の側縁部の表面側に、該床版２と一体的にブロック状に立ち上げ形成した幅のある立ち上げ脚部３上に固定している。
【００２２】
該立ち上げ脚部３は、道路側となる内側に垂直壁面４、該垂直壁面４に連続して外側方向に傾斜する傾斜壁面５が形成され、外側は床版２の底面６より下方へ突出した端縁部の突出部７を一端部として天端面８まで背面側垂直壁面９を形成している。
【００２３】
該立ち上げ脚部３の天端面８は、図４に示すように、中央部を上方側へ立ち上げた凸部面１０とし、それを挟んだ左右に該凸部面１０より低い位置の平坦面１１、１２を形成し、該平坦面１１、１２から凸部面１０に向けてテーパ状の左右傾斜面１３、１４を形成している。
【００２４】
該立ち上げ脚部３には、図２（ｂ）に示すように、床版２の底面６から立ち上げ凸部面１０にわたって貫通孔１５を設けている。該貫通孔１５は、立ち上げ脚部３の長手方向にわたって適宜間隔毎に設けている。例えば、５００ｍｍ間隔毎に設けている。
【００２５】
上記立ち上げ脚部３の該天端面８上にはプレキャストコンクリート製壁高欄１が載置固定される。該プレキャストコンクリート製壁高欄１は、前面を傾斜壁面１６とし、背面を垂直壁面１７とし、下端部は、該立ち上げ脚部３の天端面８と嵌合されるように中央部を内側へへこませた溝となる凹部面１８とし、それを挟んで左右に下方へ突出した左右平坦面１９、２０を形成している。該左右平坦面１９、２０は、上記テーパ状の左右傾斜面１３、１４に嵌合する左右傾斜面２１、２２を形成している。
【００２６】
該プレキャストコンクリート製壁高欄１の凹部面１８の位置から本体内部に向けて埋め込みインサート２３を取着し、その端部側を該凹部面１８に露出させてコンクリート中に固定する。コンクリート中の埋め込みアンカープレート２４により外方への抜け止め防止をして固定している。
【００２７】
上記貫通孔１５と埋め込みインサート２３とは、立ち上げ脚部３上にプレキャストコンクリート製壁高欄１を載置固定した状態でその相互の位置が一致するように設けてある。
【００２８】
該立ち上げ脚部３の天端面８の接合部には連結材が使用されるが、例えば樹脂モルタル等の接着剤を塗布することで薄厚の接合部を形成することができる。プレキャストコンクリート製壁高欄１の載置時或いは載置後に充填することもできる。連結材は、無収縮モルタルのような無機物でもよい。
【００２９】
上記プレキャストコンクリート製壁高欄１を載置後、床版２の底面６に露出した貫通孔１５から埋め込みインサート２３に向けてアンカーボルト２５を挿し込む。挿入したアンカーボルト２５は、その挿入先端側を埋め込みインサート２３に螺合する。埋め込みインサート２３の端部側には該端部に至るまで空間２６を設けておくことにより該アンカーボルト２５の該埋め込みインサート２３への挿入が容易となる。該アンカーボルト２５の頭部は床版２の底部に露出することになり、該アンカーボルト２５の頭部はボルト用アンカープレート２７を介在させることにより貫通孔１５への該アンカーボルト２５の挿入係止が可能となる。
【００３０】
該アンカーボルト２５は、Ａｌ−Ｍｇ溶射工法により製造した溶射ボルトが最適である。従来は、亜鉛めっき高力ボルトが使用されていたが、めっき材料と亜鉛との異種金属の接触腐食が懸念され、Ａｌ−Ｍｇ溶射高力ボルトを使用することで、その心配がなくなった。上記Ａｌ−Ｍｇ溶射高力ボルトによる塗替頻度は、図３に示すように、１００年以上とされている。
【００３１】
図１、２に示すように、プレキャストコンクリート製壁高欄１の長手方向における相互間は、凹凸嵌合２８され、ＰＣ鋼材配置孔２９へのＰＣ鋼材の挿入引張により強固に固定されることになる。
【００３２】
該床版２上には舗装材３０が施されるが、立ち上げ脚部３が一体的に立設形成されているので、該舗装材３０の表面より高い位置に接合部となる天端面８が位置することになるので、図４に示すように、舗装材３０表面の水が、垂直壁面４、傾斜壁面５、右平坦面１２、２０間から右傾斜面１４、２２間を浸透して凸部面１０と凹部面１８の嵌合部の位置まで到達することはなく、また、プレキャストコンクリート製壁高欄１の傾斜壁面１６側から流れ落ちる水が右傾斜面１４、２２間を浸透して凸部面１０と凹部面１８の嵌合部の位置まで到達することはない。また、プレキャストコンクリート製壁高欄１の背面側の水が垂直壁面１７と床版２の立ち上げ脚部３の背面側垂直壁面９との間の左平坦面１１、１９間から凸部面１０と凹部面１８の嵌合部の位置まで到達することはない。これにより貫通孔１５、アンカーボルト２５及びそれらを通じて鉄筋等と水とが接触することはなくなった。
【符号の説明】
【００３３】
１        プレキャストコンクリート製壁高欄
２        床版
３        立ち上げ脚部
４        垂直壁面
５        傾斜壁面
６        底面
７        突出部
８        天端面
９        背面側垂直壁面
１０      凸部面
１１      左平坦面
１２      右平坦面
１３      貫通孔
１４      プレキャストコンクリート製壁高欄
１５      貫通孔
１６      傾斜壁面
１７      垂直壁面
１８      凹部面
１９      左平坦面
２０      右平坦面
２１      左傾斜面
２２      右傾斜面
２３      埋め込みインサート
２４      アンカープレート
２５      アンカーボルト
２６      空間
２７      ボルト用アンカープレート
２８      凹凸嵌合
２９      ＰＣ鋼材配置孔
３０      舗装材
【図１】
0006587471.tif 000002
【図２】
0006587471.tif 000003
【図３】
0006587471.tif 000004
【図４】
0006587471.tif 000005
【図５】
0006587471.tif 000006
【図６】
0006587471.tif 000007